(57)【要約】【課題】オートクレーブ滅菌を行う前に、バッテリの取り出し忘れを防止し、オートクレーブ滅菌を安全で確実に行うことができる。【解決手段】接触部４１と指示バー４２を有する回動部材４０を用い、バッテリ３４の一端が接触部４１と接触して、バッテリ３４の自重によって、接触部４１が弾性部材４３を中心に、矢印に示す下方に回動する。これに伴って、バッテリ収容部３３の外表面に当接していた指示バー４２は、この外表面から離れて、外表面と略直角に突出した状態になって、バッテリ３４がバッテリ収容部３３内に収容されていることを報知することができる。【選択図】        図４
2006223472.tif 000002
【特許請求の範囲】
【請求項１】
電気により作動する機能実行手段と、
前記機能実行手段に電気を供給するバッテリ手段を収容するための収容部を形成し、前記機能実行手段と電気的に導通する電極部を有する収容手段と、
前記バッテリが前記収容部に収容されていることを検知するバッテリ検知手段と、
前記バッテリ検知手段の検知結果を報知する報知手段と、
を備えることを特徴とするバッテリ装置。
【請求項２】
前記バッテリ検知手段は、前記収容部に収容される前記バッテリ手段と接触して移動可能に設けられた接触部からなり、
前記報知手段は、前記接触部の移動に連動して移動する移動部を有することを特徴とする請求項１に記載のバッテリ装置。
【請求項３】
前記バッテリ検知手段は、前記収容部に収容される前記バッテリ手段と接触して移動可能に設けられた接触部からなり、
前記報知手段は、前記接触部と連動して移動し、該接触部が前記バッテリ手段と接触すると、立ち上がる指示バーからなることを特徴とする請求項１または２に記載のバッテリ装置。
【請求項４】
前記バッテリ検知手段は、前記収容部内に設けられた弾性部材からなり、
前記報知手段は、前記収容部の内部と外部とを連通し、該収容部に前記バッテリ手段が挿入されると、前記弾性部材を前記外部側に突出可能に設けられる窓部からなることを特徴とする請求項１または２に記載のバッテリ装置。
【請求項５】
電気により作動する機能実行手段と、
前記機能実行手段に電気を供給するバッテリ手段を収容するための収容部を形成し、前記機能実行手段と電気的に導通する電極部を有する収容手段と、
前記機能実行手段の駆動を検知する機能検知手段と、
前記機能検知手段の検知結果を報知する報知手段を、
さらに備えることを特徴とするバッテリ装置。
【請求項６】
電気により作動する機能実行手段と、
前記機能実行手段に電気を供給するバッテリ手段を収容するための収容部を形成し、前記機能実行手段と電気的に導通する電極部を有する収容手段と、
前記バッテリが前記収容部に収容されていることを検知するバッテリ検知手段と、
前記検知手段の検知結果を報知する報知手段と、
所定対象装置に装着される装着手段と、
を有するバッテリ装置と、
前記所定対象装置としての内視鏡操作部と、
を備えることを特徴とする内視鏡装置。
【請求項７】
前記バッテリ検知手段は、前記収容部に収容される前記バッテリ手段と接触して移動可能に設けられた接触部からなり、
前記報知手段は、前記接触部の移動に連動して移動する移動部を有することを特徴とする請求項６に記載の内視鏡装置。
【請求項８】
前記バッテリ検知手段は、前記収容部に収容される前記バッテリ手段と接触して移動可能に設けられた接触部からなり、
前記報知手段は、前記接触部と連動して移動し、該接触部が前記バッテリ手段と接触すると、立ち上がる指示バーからなることを特徴とする請求項６または７に記載の内視鏡装置。
【請求項９】
電気により作動する機能実行手段と、
前記機能実行手段に電気を供給するバッテリ手段を収容するための収容部を形成し、前記機能実行手段と電気的に導通する電極部を有する収容手段と、
前記機能実行手段の駆動を検知する機能検知手段と、
前記機能検知手段の検知結果を報知する報知手段と、
所定対象装置に装着される装着手段と、
を有するバッテリ装置と、
前記所定対象装置としての内視鏡操作部と、
を備えることを特徴とする内視鏡装置。
【請求項１０】
電気により作動する機能実行手段と、
前記機能実行手段に電気を供給するバッテリ手段を収容するための収容部を形成し、前記機能実行手段と電気的に導通する電極部を有する収容手段と、
を有するバッテリ装置と、
前記バッテリが前記収容部に収容されていることを検知するバッテリ検知手段と、
前記検知手段の検知結果を報知する報知手段と、
所定対象装置としての内視鏡操作部と、
を備えることを特徴とする内視鏡装置。
【請求項１１】
前記バッテリ装置は、前記所定対象装置に装着される装着手段を、
さらに備えることを特徴とする請求項１０に記載の内視鏡装置。
【発明の詳細な説明】
【技術分野】
【０００１】
本発明は、本発明は、１次電池または２次電池として使用されるバッテリ手段（以下、単に「バッテリ」という）を有するバッテリ装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリ収容ケースを加圧蒸気状態の外部環境化に配置する状況が発生する場合が考えられる。このような状況としては、バッテリを、たとえば被検体に対する医療行為に使用する際に、滅菌を必要とする場合などが考えられる。このような場合には、一般的に用いられている、たとえばステンレス鋼などの金属やプラスチック材質のバッテリ収容ケースにバッテリを収容する構成では、外部からの蒸気がバッテリ内に侵入してしまって、金属部材に錆が発生し、摺動部の摺動力量が大きくなったり、電気的な接点部の導通抵抗が低くなってしまう虞があった。たとえば、機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、水蒸気がＯリングを通過して内部に侵入してしまう。すなわち、Ｏリングでは、蒸気浸入を完全に防ぎ、内部の水密を保つことができず、上述したごとく、金属部材に錆が発生し、これによって摺動部の摺動力量が大きくなったり、電気的な接点部の導通抵抗が低下する場合があり問題であった。そこで、オートクレーブ滅菌を行う際には、バッテリをバッテリ収容ケースから取り出す必要があるが、作業者がバッテリの取り出しを忘れてしまうと、やはり上記問題が発生してしまうこととなる。
【０００７】
本発明は、上記問題に鑑みてなされたものであって、オートクレーブ滅菌を行う前に、バッテリの取り出し忘れを防止し、オートクレーブ滅菌を安全で確実に行うことができるバッテリ装置および内視鏡装置を提供することを目的とする。
【課題を解決するための手段】
【０００８】
上述した課題を解決し、目的を達成するために、本発明にかかるバッテリ装置は、電気により作動する機能実行手段と、前記機能実行手段に電気を供給するバッテリ手段を収容するための収容部を形成し、前記機能実行手段と電気的に導通する電極部を有する収容手段と、前記バッテリが前記収容部に収容されていることを検知するバッテリ検知手段と、前記バッテリ検知手段の検知結果を報知する報知手段と、を備えることを特徴とする。
【０００９】
また、請求項２の発明にかかるバッテリ装置は、上記発明において、前記バッテリ検知手段は、前記収容部に収容される前記バッテリ手段と接触して移動可能に設けられた接触部からなり、前記報知手段は、前記接触部の移動に連動して移動する移動部を有することを特徴とする。
【００１０】
また、請求項３の発明にかかるバッテリ装置は、上記発明において、前記バッテリ検知手段は、前記収容部に収容される前記バッテリ手段と接触して移動可能に設けられた接触部からなり、前記報知手段は、前記接触部と連動して移動し、該接触部が前記バッテリ手段と接触すると、立ち上がる指示バーからなることを特徴とする。
【００１１】
また、請求項４の発明にかかるバッテリ装置は、上記発明において、前記バッテリ検知手段は、前記収容部内に設けられた弾性部材からなり、前記報知手段は、前記収容部の内部と外部とを連通し、該収容部に前記バッテリ手段が挿入されると、前記弾性部材を前記外部側に突出可能に設けられる窓部からなることを特徴とする。
【００１２】
また、請求項５の発明にかかるバッテリ装置は、上記発明において、電気により作動する機能実行手段と、前記機能実行手段に電気を供給するバッテリ手段を収容するための収容部を形成し、前記機能実行手段と電気的に導通する電極部を有する収容手段と、前記機能実行手段の駆動を検知する機能検知手段と、前記機能検知手段の検知結果を報知する報知手段を、さらに備えることを特徴とする。
【００１３】
また、請求項６の発明にかかる内視鏡装置は、電気により作動する機能実行手段と、前記機能実行手段に電気を供給するバッテリ手段を収容するための収容部を形成し、前記機能実行手段と電気的に導通する電極部を有する収容手段と、前記バッテリが前記収容部に収容されていることを検知するバッテリ検知手段と、前記検知手段の検知結果を報知する報知手段と、所定対象装置に装着される装着手段と、を有するバッテリ装置と、前記所定対象装置としての内視鏡操作部と、を備えることを特徴とする。
【００１４】
また、請求項７の発明にかかる内視鏡装置は、上記発明において、前記バッテリ検知手段は、前記収容部に収容される前記バッテリ手段と接触して移動可能に設けられた接触部からなり、前記報知手段は、前記接触部の移動に連動して移動する移動部を有することを特徴とする。
【００１５】
また、請求項８の発明にかかる内視鏡装置は、上記発明において、前記検知手段は、前記収容部に収容される前記バッテリ手段と接触して移動可能に設けられた接触部からなり、前記報知手段は、前記接触部と連動して移動し、該接触部が前記バッテリ手段と接触すると、立ち上がる指示バーからなることを特徴とする。
【００１６】
また、請求項９の発明にかかる内視鏡装置は、電気により作動する機能実行手段と、前記機能実行手段に電気を供給するバッテリ手段を収容するための収容部を形成し、前記機能実行手段と電気的に導通する電極部を有する収容手段と、前記機能実行手段の駆動を検知する機能検知手段と、前記機能検知手段の検知結果を報知する報知手段と、所定対象装置に装着される装着手段と、を有するバッテリ装置と、前記所定対象装置としての内視鏡操作部と、を備えることを特徴とする。
【００１７】
また、請求項１０の発明にかかる内視鏡装置は、電気により作動する機能実行手段と、前記機能実行手段に電気を供給するバッテリ手段を収容するための収容部を形成し、前記機能実行手段と電気的に導通する電極部を有する収容手段と、を有するバッテリ装置と、前記バッテリが前記収容部に収容されていることを検知するバッテリ検知手段と、前記検知手段の検知結果を報知する報知手段と、所定対象装置としての内視鏡操作部と、を備えることを特徴とする。
【００１８】
また、請求項１１の発明にかかる内視鏡装置は、上記発明において、前記バッテリ装置は、前記所定対象装置に装着される装着手段を、さらに備えることを特徴とする。
【発明の効果】
【００１９】
本発明にかかるバッテリ装置は、バッテリが収容部に収容されているのを検知して、たとえば目視可能に報知することで、オートクレーブ滅菌を行う前に、バッテリの取り出し忘れを防止し、オートクレーブ滅菌を安全で確実に行うことができるという効果を奏する。
【００２０】
本発明にかかる内視鏡装置は、たとえば内視鏡からバッテリ装置が取り外された時に、検知手段がバッテリが収容部内に残留しているのを検知し、報知手段がその結果に基づいて、たとえば目視可能に報知することで、オートクレーブ滅菌を行う前に、バッテリの取り出し忘れを防止し、オートクレーブ滅菌を安全で確実に行うことができるという効果を奏する。
【発明を実施するための最良の形態】
【００２１】
以下に、本発明にかかるバッテリ装置および内視鏡装置の実施の形態を図１〜図２０の図面に基づいて詳細に説明する。なお、本発明は、これらの実施の形態に限定されるものではなく、本発明の要旨を逸脱しない範囲で種々の変更実施の形態が可能である。
【００２２】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００２３】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００２４】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２５】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２６】
挿入部２３内には、バッテリ装置３から出射された照明光を導くためのライトガイドファイバ（図示せず）が内装されている。このライトガイドファイバの基端は、操作部２２内部で屈曲され、ライトガイド口金２２ａ内に固定されている。また、このライトガイドファイバの先端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２７】
図２は、図１に示した操作部２２とバッテリ装置３の接続部３１の外観を説明するための図である。図１、図２において、バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２８】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２９】
図３は、この実施の形態にかかる内視鏡操作部とバッテリ装置との相対位置の違いによるバッテリ装置のスイッチ操作を説明するための図である。図において、この実施の形態では、操作部２２にバッテリ装置３を螺合固定する際に、バッテリ装置３のバッテリ収容部３３を内視鏡２の長手方向に対して平行な相対位置関係（図３中、二点鎖線に示す位置関係）に設定し、ランプ５０が点灯しないように、バッテリ装置をオフ状態にしておく。
【００３０】
次に、このオフ状態の位置を基準に、かつ水密リング３２ｈを中心として、バッテリ収容部３３を時計の進行方向に９０度回転させて、図３の実線位置にバッテリ収容部３３を配置することにより、ランプ５０が点灯するオン状態になる。したがって、ライトガイド口金２２ａにバッテリ装置３を装着して、実線位置にバッテリ収容部３３を移動することにより、バッテリ装置３内に設けられたランプ５０が発光状態になる。
【００３１】
この実施の形態では、バッテリ装置３は、図４、図５に示すように、バッテリ収容部３３の内外を貫通するように設けられ、側面が略く字形状に形成された回動部材４０を備える。この回動部材４０は、バッテリ収容部３３の内部に設けられ、収容されるバッテリ手段としてのバッテリ３４と接触してバッテリ収容部３３内を回動可能なバッテリ検知手段としての接触部４１と、このバッテリ収容部３３の外部に設けられ、接触部４１と連動して回動可能な報知手段として本発明にかかる移動部を構成する指示バー４２と、バッテリ３４が接触部４１と接触していない状態の場合に、この接触部４１を、図中上方に付勢して指示バー４２をバッテリ収容部３３の外表面に当接させる弾性部材４３とから構成されている。
【００３２】
すなわち、図４に示すように、バッテリ３４がバッテリ収容部３３内に収容されると、バッテリ３４の一端が接触部４１と接触して、バッテリ３４の自重によって、接触部４１が弾性部材４３を中心に、図中矢印に示す下方に回動する。これに伴って、バッテリ収容部３３の外表面に当接していた指示バー４２は、この外表面から離れて、外表面と略直角に突出した状態になり、医師などの操作者に目視でバッテリ３４がバッテリ装置３に収容されていることを報知することができる。
【００３３】
また、バッテリ装置３からバッテリ３４が取り出されると、図５に示すように、接触部４１が弾性部材４３の付勢力によって、図中矢印に示す上方に回動する。これに伴って、外表面と突出した状態にあった指示バー４２が下方に回動して、この外表面に当接する。なお、この指示バー４２には、たとえば操作者の目視が容易なように、赤色などに彩色しておくことも可能である。
【００３４】
このように、この実施の形態では、バッテリ収容部にバッテリが収容された状態では、回動部材の指示バーがバッテリ収容部の外表面から突出した状態となり、バッテリが取り出された状態では、指示バーがバッテリ収容部の外表面に当接した状態になるので、たとえばオートクレーブ滅菌を行う前に、バッテリ装置からバッテリの取り出し忘れを防止し、オートクレーブ滅菌を安全で確実に行うことができる。
【００３５】
また、この実施の形態では、機械的な構造でバッテリの収容状態を認識することができるので、バッテリの充電状態にかかわらずに、バッテリの収容状態を認識することが可能となる。
【００３６】
また、図６は、実施の形態１にかかるバッテリ装置の側面を一部断面にした側面図の他例であり、バッテリを収容した場合を示す。図において、バッテリ装置３の蓋体３５には、開口部３５ａが形成されており、この蓋体に取り付けられたバネ形状の電極３５ｂには、移動手段（移動部）としての指示バー４４が取り付けられている。この指示バー４４は、バッテリ収容部３３内にバッテリ３４が収容されている場合には、接触部としての電極３５ｂの下端とバッテリ３４と接触とに伴った電極３５ｂの図中上方向への付勢によって外部に突出し、またバッテリ３４がバッテリ収容部３３内から取り出された場合には、電極３５ｂの下方向への付勢によってバッテリ収容部３３内部に収納されるように構成されている。
【００３７】
このような構成により、この実施の形態では、指示バーの突出によってバッテリの収容状態を認識することができるので、図４、図５の実施の形態と同様に、たとえばオートクレーブ滅菌を行う前に、バッテリ装置からバッテリの取り出し忘れを防止し、オートクレーブ滅菌を安全で確実に行うことができる。
【００３８】
なお、以下の図において、実施の形態１と同様の構成部分に関しては、説明の都合上、同一符号を付記するものとする。
【００３９】
（実施の形態２）
図７は、実施の形態２にかかるバッテリ装置の側面を一部断面にした側面図であり、バッテリを収容した場合を示し、図８は、同じく、バッテリ装置の側面を一部断面にした側面図であり、バッテリを取り出した場合を示す。図において、この実施の形態では、バッテリ装置３は、バッテリ収容部３３の内外を貫通するように設けられた報知手段としての窓部３３ａと、バッテリ収容部３３内に設けられ、この窓部３３ａを覆う接触部および移動部としての弾性部材４５とを備える。この弾性部材４５は、たとえば包袋の中にゼリー状の弾力性を有する流体を収納して構成されており、バッテリ３４がバッテリ収容部３３から取り出された状態では、図８に示すように、バッテリ収容部３３の内部に位置し、バッテリ３４がバッテリ収容部３３内に収容された状態では、図７に示すように、バッテリ３４が接触部としての弾性部材４５の内面に当接して、移動部としての弾性部材４５の外面をバッテリ３４の外周面に押して窓部３３ａから外部に突出するように形成されている。なお、流体には、たとえば赤色などの彩色を施し、操作者の視覚に認識し易くしておくのが好ましい。
【００４０】
このような構成により、この実施の形態では、窓部からの弾性部材の突出によってバッテリの収納状態を認識することができるので、実施の形態１と同様の効果を奏することができ、オートクレーブ滅菌を安全で確実に行うことができる。
【００４１】
（実施の形態３）
図９は、実施の形態３にかかるバッテリ装置の一例を示す斜視図であり、図１０は、図９に示したバッテリ装置の電源回路の構成の一例を示す回路図である。図９において、この実施の形態では、バッテリ収容部３３の外表面に複数のＬＥＤ４６と、スピーカ４７とを備えており、このＬＥＤ４６およびスピーカ４７は、本発明にかかる報知手段を構成している。
【００４２】
図１０において、バッテリ装置３の電源回路には、ＬＥＤ４６およびスピーカ４７の駆動制御を行う制御回路６０と、バッテリ３４の電圧を、ランプ５０の定格電圧、たとえば４．８Ｖに変換するＤＣ／ＤＣコンバータ６１と、ランプ５０と並列に接続されるランプ検知回路６２と、ランプ５０とＤＣ／ＤＣコンバータ６１間に接続されたスイッチ６３とが設けられている。ランプ５０は、ＤＣ／ＤＣコンバータ６１から印加される定格電圧によって起動して照明光を出射し、この照明光は、接続口金３１ｄ（図１参照）から接続された内視鏡２内のライトガイドファイバ（図示せず）を通って、照明窓２３ｄ（図１参照）から外部に照射される。
【００４３】
機能検知手段としてのランプ検知回路６２は、バッテリ３４がバッテリ装置３に装填されている際に、スイッチ６３がオフ状態になったランプ５０の消灯時を検知しており、この消灯時の検知を制御回路６０に出力している。制御回路６０は、ランプ検知回路６２からの検知出力があると、ＬＥＤ４６およびスピーカ４７を駆動制御して、ＬＥＤ４６の点滅、たとえば３つあるＬＥＤを順に点滅させたり、スピーカ４７から警告音を発生させる。
【００４４】
なお、スイッチ６３は、図３に示したバッテリ装置３のバッテリ収容部３３と内視鏡２との相対位置関係で切り替わるスイッチ機構であり、図３中の二点鎖線に示す位置関係およびバッテリ装置３を内視鏡２から取り外した状態でオンからオフ状態に切り替わる。したがって、バッテリ３４が装填された状態で、スイッチ６３がオフ状態になると、ランプ検知回路６２に電位差が生じて、ランプ検知回路６２は、この電位差を検知して制御回路６０に検知信号を出力する。制御回路６０は、この検知信号を受け取ると、バッテリ３４がバッテリ装置３内に装填された状態にあると判断して、ＬＥＤ４６およびスピーカ４７の点滅表示及び警告音の出力を行う。
【００４５】
このように、この実施の形態では、スイッチ６３のオフ状態におけるランプ５０消灯時のバッテリ３４の装填状態を検知して、ＬＥＤ４６やスピーカ４７による報知を行うので、たとえばオートクレーブ滅菌を行う前に、スイッチがオフ状態になった時のバッテリの取り出し忘れを防止し、オートクレーブ滅菌を安全で確実に行うことができる。
【００４６】
なお、この実施の形態では、目視による認識および聴覚による認識が可能なようにＬＥＤの点滅とスピーカからの警告音の出力を行って、ランプ消灯時のバッテリの装填状態を報知したが、本発明はこれに限らず、いずれか一方の報知であっても良い。
【００４７】
図１１は、実施の形態３にかかるバッテリ装置の他例を示す斜視図であり、図１２は、図１１に示したバッテリ装置の電源回路の構成の一例を示す回路図である。この実施の形態において、上記図９および図１０の実施の形態と異なる点は、バッテリ検知手段としてのバッテリ検知・制御回路６４でバッテリ３４の検知を行うとともに、バッテリ収容部３３の外表面に温度センサ４８を備えて、外部の雰囲気温度を検出して、この温度がバッテリ３４の耐熱温度に近づいたら報知を行うものである。
【００４８】
すなわち、この実施の形態では、バッテリ検知・制御回路６４は、スイッチ６３がオフ状態の時にバッテリ装置３内にバッテリ３４が装填されていることを検知すると、ＬＥＤ４６による点滅表示とスピーカ４７による警告音の発生を行うとともに、スイッチ６３がオン状態の時に温度センサ４８がバッテリ３４の耐熱温度に近い温度（閾値）を検知すると、同様に、ＬＥＤ４６による点滅表示とスピーカ４７による警告音の発生を行う。なお、この実施の形態では、上記の検知した状態の違いによってＬＥＤ４６の点滅表示パターンを替えたり、スピーカ４７による警告音の発生パターンを替えたりすることも可能である。
【００４９】
このような構成により、この実施の形態では、スイッチオフ時におけるバッテリの装填状態を検知して、ＬＥＤやスピーカによる報知を行うので、上記実施の形態と同様の効果を奏するとともに、温度センサによって外部の雰囲気温度を検知するので、たとえばバッテリ装置が内視鏡に取り付けられた状態で、オートクレーブにかけられた場合でも、操作者に点滅表示や警告音を発することによって、バッテリの装填状態を報知することができ、さらに使い勝手を向上させることができる。
【００５０】
（実施の形態４）
図１３は、実施の形態４にかかるバッテリ装置の構成を示す構成図である。この実施の形態は、内視鏡２の操作部２２の側面には、ライトガイド口金２２ａが突出して設けられており、このライトガイド口金２２ａにバッテリ装置３の接続部３１が着脱自在に接続される構造を有している。
【００５１】
また、バッテリ装置３は、ランプ５０点灯・消灯用の本来のスイッチ５２の他に、バッテリ装置３のランプ側に設けられ、操作部２２の雄ネジ部２２ｉの先端部と当接して、スイッチ５２によるランプ５０の点灯を可能にし、雄ネジ部２２ｉとの当接を解除した時にランプ５０を点灯するロック式の先端スイッチ５３とを設ける。この構成においては、先端スイッチ５３は、本発明にかかるバッテリ検知手段の機能を有し、ランプ５０は、通常の照明機能とともに、報知手段の機能を兼ね備える。
【００５２】
図１４は、図１１に示したバッテリ装置の電源回路の構成を示す回路図である。図において、ロック式の先端スイッチ５３は、接点ａと接続可能な接続部５３ａと、接点ｂと接続可能な接続部５３ｂとを有しており、接続部５３ａが接点ａに接続されている場合には、スイッチ５２の切り替え動作によって、ランプ５０の点灯および消灯を可能にし、接続部５３ｂが接点ｂに接続されている場合には、スイッチ５２の切り替え動作に関わらず、ランプ５０を点灯状態にロックする。
【００５３】
すなわち、操作部２２の雄ネジ部２２ｉと、バッテリ装置３の接続部３１における雌ネジ部３１ｂとが螺合して、操作部２２にバッテリ装置３が取り付けられると、先端スイッチ５３が雄ネジ部２２ｉの先端に当接して、接続部５３ａが接点ａに接続されることとなる。なお、この状態では、接続部５３ｂと接点ｂとの接続は断状態になっている。これによって、バッテリ装置３では、スイッチ５２による切り替え操作により、ランプ５０の点灯・消灯動作が可能となる。
【００５４】
また、操作部２２の雄ネジ部２２ｉと、バッテリ装置３の接続部３１における雌ネジ部３１ｂとの螺合が解除され、操作部２２からバッテリ装置３が取り外されると、たとえば図示しないバネの付勢力によって、接続部５３ｂと接点ｂとが接続され、接続部５３ａと接点ａとが断状態となる。これによって、バッテリ装置３では、バッテリ３４からランプ５０に電力供給が行われて、ランプ５０が点灯することとなる。
【００５５】
このような構成により、この実施の形態では、バッテリがバッテリ装置に装着された状態で操作部から取り外されると、ロック式スイッチのロックが解除されてランプを点灯させるので、たとえばオートクレーブ滅菌を行う前に、内視鏡の操作部からバッテリ装置を取り外した時に、バッテリの取り出し忘れを防止し、オートクレーブ滅菌を安全で確実に行うことができる。
【００５６】
（実施の形態５）
図１５は、実施の形態５にかかる内視鏡装置の概略構成を示す構成図である。この実施の形態では、バッテリ検出手段と報知手段の機能を内視鏡２内に設けている点が他の実施の形態と異なる。
【００５７】
通常、オートクレーブ滅菌を行う際に、図１５に示したバッテリ３４をバッテリ収容部３３内から取り出し、連通キャップ５５を内視鏡２に設けた通気口金３６に装着し、通気口金３６のピン３６ａと連通キャップ５５の長手方向に切り欠いた溝部５５ａを係合する。次に、通気口金３６が開状態になるように連通キャップ５５を周方向に回すことで内視鏡２の内部と外部を連通させることで、内視鏡装置１内外が通気できるようにして、オートクレーブ滅菌時の圧力差による内視鏡装置１の一部が破損することを防止している。
【００５８】
この実施の形態では、この通気口金３６内にバッテリ装置３内のバッテリ３４と接続されるスイッチ５４を設け、連通キャップ５５が通気口金３６に装着されると、このスイッチ５４をオン状態して、報知手段としてのスピーカ４７の警報音の発生を可能にする。すなわち、スイッチ５４と連通キャップ５５とは、本発明にかかるバッテリ検知手段を構成しており、スイッチ５４がオン状態の時に、バッテリ３４がバッテリ収容部３３内に収容されていると、報知手段のスピーカ４７が警報音を発生する。
【００５９】
このような構成により、この実施の形態では、オートクレーブ滅菌を行う際の内視鏡装置の内部と外部を連通させる工程で、バッテリの検知を行うことができるので、オートクレーブ滅菌を行う前に、バッテリの取り出し忘れを防止し、オートクレーブ滅菌を安全で確実に行うことができる。
【００６０】
（実施の形態６）
図１６は、実施の形態６にかかるバッテリ装置の側面を一部断面にした側面図であり、バッテリを収容した場合を示す。図において、この実施の形態では、バッテリ収容部３３内にバッテリ３４が収容されている状態で、所定の無線信号を発信する発信器５６を設け、また図示しないオートクレーブ装置には、この無線信号を受信して警告表示や運転の停止を行う受信器を設ける。なお、スイッチ６３は、図３に示したバッテリ装置３のバッテリ収容部３３と内視鏡２との相対位置関係で切り替わるスイッチ機構としてのスイッチである。
【００６１】
この実施の形態では、バッテリを収容するとともに、発信器を設けたバッテリ装置が、オートクレーブ装置に近づくと、オートクレーブ装置の受信器が無線信号を受信して、警告表示や運転の停止を行うので、上記実施の形態と同様に、オートクレーブ滅菌を行う前に、バッテリの取り出し忘れを防止し、オートクレーブ滅菌を安全で確実に行うことができる。
【００６２】
また、図１７は、オートクレーブ装置７０内に設けられたバッテリ検知装置を説明するための斜視図であり、このバッテリ検知装置は、トレイ６２に設けられた重量センサ６１と、重量センサ６１で測定されたトレイ６２内のバッテリ装置３の重量が所定値を上回った場合に、バッテリ３４がバッテリ装置３に収容されていることを検知するバッテリ検知部７３と、バッテリ検知部７３の検知結果に基づいて、ブザー発信などの報知を行う報知部７４とから構成されている。
【００６３】
この実施の形態では、トレイに載置されたバッテリ装置がバッテリを収容している場合には、重量センサからの重量情報に基づいてバッテリ検知部がバッテリを検知し、報知部が警報などを発生するので、上記実施の形態と同様に、オートクレーブ滅菌を行う前に、バッテリの取り出し忘れを防止し、オートクレーブ滅菌を安全で確実に行うことができる。
【００６４】
また、図１８は、異種バッテリの検知にかかるバッテリ装置の側面を一部断面にした側面図であり、バッテリを収容した場合を示す。この実施の形態では、バッテリ収容部３３と蓋体３５とが螺合によって閉まる際に、一時的にオン状態となるスイッチ６７を備え、このスイッチ６７がオン状態になると、収容されたバッテリ３４の電圧値と電流値を、電圧計６５と電流計６６とで検出し、制御回路６０は、この電圧値と電流値とからバッテリ３４のインピーダンスを求め、このインピーダンスが規定値以上の場合に、異種バッテリの収容と判断して、ＬＥＤ４６およびスピーカ４７による報知を行わせる。
【００６５】
ここで、制御回路６０に設定されるインピーダンスの設定値（閾値）を、たとえば１００ｍΩとし、これを超える場合には、制御回路６０は、異種バッテリと判断して報知を行わせる。すなわち、バッテリのインピーダンスは、たとえばニッカド電池が７〜１９ｍΩ、ニッケル水素電池が１８〜３５ｍΩ、マンガン電池が３６０〜４５０ｍΩ、アルカリ電池が１１０〜１３０ｍΩ程度であるので、耐熱性の低いマンガン電池とアルカリ電池を排除するために、この実施の形態では、インピーダンスの設定値を１００ｍΩに設定し、１００ｍΩ以下の場合には、規格通りのバッテリと判断して警告音無しのグリーンのＬＥＤ表示を行い、また１００ｍΩを超える場合には、異種バッテリと判断して警告音を発生させるとともに、赤色のＬＥＤ表示を行う。
【００６６】
これによって、この実施の形態では、異種バッテリを検知して、異種バッテリのバッテリ装置内への収容を防ぐので、適用外のバッテリが使用されるのを防止することができるとともに、耐熱性の低いバッテリを排除することで、オートクレーブ時のバッテリによる液もれ発生を防ぐことができる。
【００６７】
また、図１９、図２０は、バッテリ装置の側面図と背面図である。従来のバッテリ装置では、ランプホルダにコインスリットが設けられ、このコインスリットにコインを嵌合させて、ランプホルダを回転させて取り外すことで、ランプの交換を行っていた。ところが、手術室で内視鏡の使用中にランプ交換の必要性が生じると、コインは無論のこと、それに代わる工具が必要となり、交換に手間がかかり、手術が中断してしまう可能性が考えられる。
【００６８】
そこで、この実施の形態では、図１９、図２０に示すように、ランプホルダ６８をねじこみ式のローレット部で構成し、このローレット部を操作者の手で回転させることで、ランプホルダの取り外しおよびランプ５０の交換を容易にし、工具なしでも迅速なランプ交換を可能とする。
【図面の簡単な説明】
【００６９】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】この実施の形態にかかる内視鏡操作部とバッテリ装置との相対位置の違いによるバッテリ装置のスイッチ操作を説明するための図である。
【図４】実施の形態１にかかるバッテリ装置の側面を一部断面にした側面図の一例であり、バッテリを収容した場合を示す。
【図５】同じく、側面図の一例であり、バッテリを取り出した場合を示す。
【図６】実施の形態１にかかるバッテリ装置の側面を一部断面にした側面図の他例であり、バッテリを収容した場合を示す。
【図７】実施の形態２にかかるバッテリ装置の側面を一部断面にした側面図である。
【図８】同じく、側面図であり、バッテリを取り出した場合を示す。
【図９】実施の形態３にかかるバッテリ装置の一例を示す斜視図である。
【図１０】図９に示したバッテリ装置の電源回路の一例を示す回路図である。
【図１１】実施の形態３にかかるバッテリ装置の他例を示す斜視図である。
【図１２】図１１に示したバッテリ装置の電源回路の構成の一例を示す回路図である。
【図１３】実施の形態４にかかるバッテリ装置の構成を示す構成図である。
【図１４】図１３に示したバッテリ装置の電源回路の構成を示す回路図である。
【図１５】実施の形態５にかかる内視鏡装置の概略構成を示す構成図である。
【図１６】実施の形態６にかかるバッテリ装置の側面を一部断面にした側面図であり、バッテリを収容した場合を示す。
【図１７】オートクレーブ装置内に設けられたバッテリ検知装置を説明するための斜視図である。
【図１８】異種バッテリの検知にかかるバッテリ装置の側面を一部断面にした側面図であり、バッテリを収容した場合を示す。
【図１９】バッテリ装置の側面図である。
【図２０】同じく、バッテリ装置の背面図である。
【符号の説明】
【００７０】
１  内視鏡装置
２  内視鏡
３  バッテリ装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ，３６  通気口金
２２ｉ  雄ネジ部
２２ｊ  接続筒
２３  挿入部
２３ａ  先端部
２３ｂ  湾曲部
２３ｃ  可撓管
２３ｄ  照明窓
３１  接続部
３１ａ  接続環
３１ｂ  雌ネジ部
３１ｃ  ネジカバー
３１ｄ  接続口金
３１ｅ，３２ｈ  水密リング
３３  バッテリ収容部
３３ａ  窓部
３４  バッテリ
３５  蓋体
３５ａ  開口部
３５ｂ  電極
３６ａ  ピン
４０  回動部材
４１  接触部
４２，４４  指示バー
４３，４５  弾性部材
４７  スピーカ
４８  温度センサ
５０  ランプ
５２，５３  スイッチ
５３ａ，５３ｂ  接続部
５５  連通キャップ
５５ａ  溝部
５６  発信器
６０  制御回路
６１  コンバータ
６２  ランプ検知回路
６３  スイッチ
６４  バッテリ検知・制御回路
６５  電圧計
６６  電流計
６７  スイッチ
６８  ランプホルダ
７０  オートクレーブ装置
７１  重量センサ
７２  トレイ
７３  バッテリ検知部
７４  報知部
【図１】
2006223472.tif 000003
【図２】
2006223472.tif 000004
【図３】
2006223472.tif 000005
【図４】
2006223472.tif 000006
【図５】
2006223472.tif 000007
【図６】
2006223472.tif 000008
【図７】
2006223472.tif 000009
【図８】
2006223472.tif 000010
【図９】
2006223472.tif 000011
【図１０】
2006223472.tif 000012
【図１１】
2006223472.tif 000013
【図１２】
2006223472.tif 000014
【図１３】
2006223472.tif 000015
【図１４】
2006223472.tif 000016
【図１５】
2006223472.tif 000017
【図１６】
2006223472.tif 000018
【図１７】
2006223472.tif 000019
【図１８】
2006223472.tif 000020
【図１９】
2006223472.tif 000021
【図２０】
2006223472.tif 000022